(57)【要約】【課題】      床面に貼付した広告が立体形状に見えて、購買者に強くアピールする床面広告であって、床面上を通行する多数の歩行者によって広告媒体が損傷されない床面広告を提供する【解決手段】  タック紙１が透明なプラスチックシート１１とプラスチックシートの裏面に貼着された剥離紙１３からなり、タック紙のプラスチックシートに画像３が印刷されており、画像はプラスチックシートを貼る床面から離れて見たときに立体的に見える広告物品３１と広告物品の下方に付加した広告物品の影３２を含んでおり、タック紙から剥がした透明プラスチックシートを床面Ｆに貼着して、立体的な広告物品が床面から浮き上がって見えるようにした。【選択図】    図１
0003129956.tif 000002
【実用新案登録請求の範囲】
【請求項１】
タック紙が透明なプラスチックシートおよび該プラスチックシートの裏面に貼着された剥離紙からなり、該タック紙の該プラスチックシートに画像が印刷されており、該画像は該プラスチックシートを貼る床面から離れて見たときに立体的に見える広告物品および該広告物品の下方に付加した該広告物品の影を含んでおり、該タック紙から剥がした透明プラスチックシートを前記床面に貼着して、立体的な広告物品が床面から浮き上がって見えるようにしたことを特徴とする床面広告。
【請求項２】
タック紙が透明なプラスチックシートおよび該プラスチックシートの裏面に貼着された剥離紙からなり、該タック紙の前記プラスチックシート上の画像を印刷する箇所は、最初に白色に印刷され、その上に画像が印刷されており、該画像は該プラスチックシートを貼る床面から離れて見たときに立体的に見える広告物品および該広告物品の下方に付加した該広告物品の影を含んでおり、該タック紙から剥がした透明プラスチックシートを前記床面に貼着して、立体的な広告物品が床面から浮上がって見えるようにしたことを特徴とする床面広告。
【請求項３】
前記タック紙が四角形状をした透明なプラスチックシートおよび該プラスチックシートの裏面に貼着された四角形状をした剥離紙からなることを特徴とする請求項１または２に記載の床面広告。
【請求項４】
画像を印刷した前記プラスチックシートの上に画像保護用の透明フィルムが設けられていることを特徴とする請求項１〜３の何れか１項に記載の床面広告。
【考案の詳細な説明】
【技術分野】
【０００１】
本考案は、床貼付用広告シートおよび床貼付用広告シートの作成方法に関する。より詳しくは、本考案は、百貨店、スーパーマーケットなどの多数の商品を展示販売している店舗において、床に貼付して購買者に販売している商品の所在を示したり、また、通路の順路を案内するための新規な構造のシート、所謂案内ステッカーに関する。
【背景技術】
【０００２】
百貨店、スーパーマーケットなどの平面的で広い大型店舗においては、顧客は目的とする商品の所在を探すのに苦労することが多い。その対策として、床面にステッカーを貼る方策法が試みられている。
【考案の開示】
【考案が解決しようとする課題】
【０００３】
従来から床面広告に用いられている方法では床面に施される広告が平面状のものであった。このために百貨店、スーパーなどに置かれている多数の商品などと床面であってもその広告とが紛れてしまい広告効果が非常に薄く、その広告を見る購買者に対するアピール力が今一つ足らないものであった。このような点に鑑みると本考案者はこの広告が従来のような平板なものではなく立体形状に見えることが購買者によりアピールするものであると考えその方策を検討した。
【０００４】
従来から展示物が突出して見えるようにすることについて種々の提案がされている。例えば、特許文献１（実開平５−１７６６７号公報）においては、乗降ドアのガラス窓にホログラムを貼付し、電車や列車がトンネル内に入ったりして外側からの光が遮られ、車内灯などから光が照射されると、それまでぼんやりとしか見えなかったホログラムに記憶されている映像が再生され立体的な映像がはっきりと乗客の目に見えるようにすることが提案されている。
【０００５】
この方法ではホログラムを使っているために、この広告媒体が非常に高価となり、しかも電車の窓ガラスなどはよいが、床面に貼った場合にはホログラムがその上を通行する歩行者の靴底などによって損傷され、そのホログラムとしての効果を奏しなくなってしまうという問題がある。また、この特許文献１のものはホログラムが乗客の目の高さと同じ位置に貼られていて初めて立体画像が見えるものであり、床面に貼られているもので立体画像を見えるようにするのは非常に難しく、斜めにした場合にはホログラムを通しての立体画像が見えないという問題もある。
【０００６】
特許文献２（特開平１１−１０５４９８号公報）には天然の丸太を用い、その側部に丸太を棲家とするリスなどの生物があたかもその中に住んでいるようにしてだまし絵の印刷や手描きを施し、この天然の丸太をテーブルや置物、椅子等の調度品などに用いることが提案されている。
【０００７】
特許文献２では、天然の丸太の側面にだまし絵の印刷や手描きを施しているので、テーブルや置物、椅子等の調度品には適するが、本考案の目的とする床面広告に用いると床面から大きく突出してしまい歩行者の通行を疎外する。このため、特許文献２のものは、床面広告に適さない。
【０００８】
また、特許文献２のものは、だまし絵が施されているのは丸太の側面であり、だまし絵の位置は見る人の目の高さとほぼ同じ状態となっている。このようなだまし絵を床面に描いた場合に見る人とだまし絵との位置関係が傾斜しているため必ずしもだまし絵がこのままでは立体的に見えず、本考案者が目的とするような効果を奏することができない。
【０００９】
本考案は上述したような従来技術の問題点に鑑みて、床面に貼付した広告が立体形状に見えて、購買者に強くアピールする床面広告を提供することにある。
【００１０】
また本考案は床面上を通行する多数の歩行者によって広告媒体が損傷されないようにした床面広告を提供することにある。更に本考案はこのような床面広告を安価に提供することを目的とする。
【特許文献１】実開平５−１７６６７号公報
【特許文献２】特開平１１−１０５４９８号公報
【課題を解決するための手段】
【００１１】
本考案においては、上述した目的を、タック紙が透明なプラスチックシートおよび該プラスチックシートの裏面に貼着された剥離紙からなり、該タック紙の該プラスチックシートに画像が印刷されており、該画像は該プラスチックシートを貼る床面から離れて見たときに立体的に見える広告物品および該広告物品の下方に付加した該広告物品の影を含んでおり、該タック紙から剥がした透明プラスチックシートを前記床面に貼着して、立体的な広告物品が床面から浮き上がって見えるようにしたことを特徴とする床面広告により達成する。
【００１２】
本考案における画像には、少なくとも、広告を見る人が立った状態で、プラスチックシートを貼る床面から離れて見たときに立体的に見える広告物品および該広告物品の下方に付加した該広告物品の影を含んでいる。この外に、広告の説明文や広告主に関する情報などを含んでいてもよい。
【００１３】
また、本考案の広告物品がプラスチックシートを貼る床面から離れて見たときに立体的に見えるようにするには、従来から知られている手法、例えば、だまし絵として知られる手法を用いることができる。本考案においては、立体的に見える広告物品の下方に広告物品の影が付加されていることが重要であり、これにより、立体的な広告物品が床面から浮き上がって見える。
【００１４】
本考案に用いるプラスチックシートは、歩行者の履物によって貼着したプラスチックシートが剥がされないように外形の凹凸が少なく、四角形状、円形形状、楕円形形状などが好ましく、特に、従来の広告に用いられているような四角形状が好ましい。
【００１５】
また、プラスチックシートに印刷した画像などが床面広告上を通行する歩行者等によって汚されることを防止するために、画像を印刷したプラスチックシートの上に画像保護用の透明フィルムを設けることが好ましい。
【００１６】
本考案においては、透明プラスチックシートを用いているにも拘らず、印刷された画像が鮮明に見えるようにするために、タック紙の透明プラスチックシート上の画像を印刷する箇所が、最初に白色に印刷され、その上に画像が印刷されていることが好ましい。
【考案の効果】
【００１７】
本考案によれば、床面にタック紙のプラスチックシートを貼り床面から離れて見たときに立体的に見える広告物品と広告物品の下方に付加した広告物品の影を含んでいるので、この床面の広告から離れて斜めにこの広告を見た場合に画像中の広告物品は立体的に見え、しかもこの画像は広告物品の影との相乗効果により床面から浮き上がって見えるようにしている。従って本考案によれば床面から広告物品が浮き上がって見えるために、展示物などと広告が紛れてしまう人がなく、広告物品の広告としてのアピール力が極めて発揮される。
【００１８】
また本考案においては透明な一体物のプラスチックシートに広告媒体を印刷しており、そのプラスチックシートから剥離紙を剥がして床面に貼着しているために、床面に貼られる画像部分は凹凸が少なく滑らかであって、個々の広告部分を切抜いて床面に貼ったような場合に比較し歩行者の靴によって角部が損傷されたり剥がれたりしてしまうようなことが少なく床面広告としての寿命も長く、従って極めて安価に長期間に亘り宣伝することができる。
【００１９】
特に、本考案におけるプラスチックシートは四角形状、円形形状、楕円形形状など外形の周囲に凹凸が少なく、歩行者の靴など履物が当たることが少ない形状とすることが好ましい。
【００２０】
なお、本考案における画像には、プラスチックシートを貼る床面から離れて見たときに立体的に見える広告物品および広告物品の下方に付加した広告物品の影を含んでいることが必須であるが、この他に広告の説明文や広告主に関する情報などを含んでいてもよい。
【００２１】
また、本考案におけるプラスチックシートを貼る床面から離れて見たときに立体的に見えるようにするには、従来から知られているだまし絵などの手法を用いることもできる。また実施例において説明するように、通常の遠近法と逆に遠くにあるものを大きく、近くを小さく描くことによって目の錯覚を用いてその物品が立体的なように人間が知覚するような手法を用いることもできる。
【００２２】
更に、本考案においては、プラスチックシートに印刷した画像などが、この床面広告上を通行する歩行者等によって汚されることを防止するために、画像を印刷したプラスチックシートの上に画像保護用の透明フィルムを設けることが好ましく、このようにすることによって画像は汚されず長期に亘って用いることができる。
【００２３】
また、このような保護用シート応用の透明フィルムを掛けておくことによって広告媒体の上をモップなどで掃除をすることもでき、長期間に亘り鮮明な画像を維持することができる。
【００２４】
更に本考案においては透明プラスチックを用いているのであるが、このプラスチックに印刷された画像が鮮明に見えるようにするために、画像を印刷する前に先ず最初に透明プラスチックの上に画像に対応して白色印刷し、その上に画像を印刷することによって画像が極めてコントラクトがある鮮明な状態に印刷することができる。
【考案を実施するための最良の形態】
【００２５】
以下、添付図面を参照して本考案の実施例を詳細に説明する。図１は本考案に係る床面広告の平面図である。図２は図１のＡ−Ａ断面を示す断面図であり、その高さ方向（図２の上下方向）は説明のために極めて誇張して示している。図３は図１に示す床面広告に印刷する画像の求め方を示す説明図である。図４は図１に示す床面広告を床面広告を貼った位置から離れた位置で立った状態の人が見た場合に見える状態を示す図である。
【００２６】
図２においてタック紙１は透明なプラスチックフィルム１１、タック紙の裏面に塗布された接着剤１２および接着剤１２によって透明なプラスチックフィルムを剥離可能に貼付けるための剥離紙１３からなっている。
【００２７】
本考案の透明なプラスチックフィルムは適宜な材質のものを利用できるが、丈夫なものが好ましい。
【００２８】
また、剥離紙は従来から知られているものを用いることができる。
【００２９】
透明なプラスチックフィルム１１の上に本考案に係る画像３（床面Ｆ（図３参照）から離れて見たときに立体的に見える広告物品３１（図１参照）および広告物品３１の下方に付加した広告物品の影３２）が印刷されている。なお、本考案においては、広告物品３１は食パンであるが、これに限らず種々の広告物品とすることができる。
【００３０】
また、符号３３は広告物品（食パン）３１が載置されたテーブルであり、テーブル３３の余白や透明なプラスチックフィルム１１の余白に広告文や説明文を付加してもよい。
【００３１】
この画像３の印刷に先立ち、画像と同じ大きさの箇所に白色塗料２を印刷する。このように印刷した塗料２の上に、本考案の画像３を印刷する。印刷の方法は凸版印刷、シルク印刷、オフセット印刷など適宜な方法を使用することができる。
【００３２】
透明プラスチックフィルム１１の上に画像３を印刷した後に、この画像３の上に保護層４を形成するために保護用の透明プラスチックシート４１を貼る。透明のプラスチックシート４１の裏面には接着剤４２が塗布されており、これにより透明なプラスチックフィルムを画像を含めタック紙に貼られていた透明プラスチックフィルム１１のほぼ全面を覆うように貼付ける。この透明なプラスチックフィルム４１は適宜な材質のものを利用できるが、丈夫なものが好ましく、また、その上を通る歩行者が滑らないように表面処理されているものが好ましい。
【００３３】
このようにして出来上がった本考案に係る床面広告用シートは剥離紙１３を剥がし、この状態で所望の床面（図３参照）に接着剤１１によって貼付ければよい。
【００３４】
本考案においては、図３に示すように、プラスチックシートを貼る床面Ｆから離れて人（その目をＥで示す）が本考案の広告物品３１を見たときに、広告物品３１が立体的に見えるようにしている。
【００３５】
遠近法の場合には、見る人から近いところを大きく、離れているところを小さく描くのである。本実施例においては逆に近くを小さく、遠くを大きく描く。この一例を図３に基いて説明すると、
図３においては画像３の食パン形状をした広告物品が浮き上がって見えるようにするために、広告から離れた位置に立っている人の目Ｅで浮き上がった状態の広告物品（食パン）３１を見たときの食パンの外形と目とを結び、これを繋ぎ合せることによって遠くが目から近いところより大きくなる。このようにして近い所が小さく遠い所が大きい画像が平面の上に作られる。この状態で作られたものが図１に示す画像である。
【００３６】
更に、図１に示すように、この広告物品（食パン）３１の下方に、この広告物品（食パン）３１の影を描く。このようにして作った画像を透明なプラスチックシートとプラスチックシートの裏面に剥離紙が貼着されたものからなるタック紙のプラスチックシートに印刷する。
【００３７】
この印刷に先立ち画像が印刷される箇所に対応した箇所を先ず白色に印刷し、いわば透明プラスチックシートの上に画像用のキャンパスを形成する。この白色に印刷した箇所の上に上述のようにして得られた画像を印刷する。
【００３８】
画像の印刷が終わったところで、透明のプラスチックシート１１の上に保護用の透明フィルム４１を接着剤４２によって貼着する。画像３が印刷された透明フィルム１１の上に保護フィルム４１が貼着されたタック紙１から剥離紙１３を剥がし、残った透明フィルム（画像および保護フィルム付）１１を床面の広告を貼着する箇所に持っていき、床面Ｆに綺麗に貼付ける。これによって広告から離れた位置から床面Ｆを見ると斜め上方から見ることになり、プラスチックシートの上に印刷された広告物品（食パン）３１は立体的形状に見え、しかも広告物品（食パン）３１の下方に、広告物品（食パン）３１の影３２があるので、立体的形状広告物品（食パン）３１は浮上がった状態で見える。
【００３９】
上述の説明から明らかなように本考案においてはプラスチックシート１１に広告物品３１および影３２を印刷して、広告物品３１を印刷した透明フィルム１１をタック紙１の剥離紙１３から剥がして床面に貼付けているために、床面には透明プラスチックシート１１がそのまま貼られる。従って、透明プラスチックシート１１の外形の角部は非常に少なく、歩く人によって透明プラスチックシート１１が損傷されることも少く、また、極めて安価にでき、しかもその摩耗性も非常に良好である。
【００４０】
すなわち、本考案においては得られた画像を個々に切り離し、それを床面に個別に貼っていくような作業は必要なく、画像が印刷された透明フィルムを床面に貼ればよく、本考案の床面広告後に掛かる人件費も非常に少くて、極めて安価に床面広告をすることができる。
【００４１】
本考案の床面広告は、立体形状の広告物品が浮上がって見えるため周囲に積まれている物品などと紛れることがなく極めて購買客にアピールする力が強いものであり、格別な顧客吸引力が期待できる。
【図面の簡単な説明】
【００４２】
【図１】本考案に係る床面広告の平面図である。
【図２】図１のＡ−Ａ断面を示す断面図であり、その高さ方向（図２の上下方向）は説明のために極めて誇張して示している。
【図３】図１に示す床面広告に印刷する画像の求め方を示す説明図である。
【図４】図１に示す床面広告を床面広告を貼った位置から離れた位置で立った状態の人が見た場合に見える状態を示す図である。
【符号の説明】
【００４３】
１  タック紙
１１  透明なプラスチックシート
１３  剥離紙
２  白色塗料
３  画像
３１  広告物品
３２  広告物品の影
４  保護層
４１  保護用の透明フィルム
Ｅ  目
Ｆ  床面
【図１】
0003129956.tif 000003
【図２】
0003129956.tif 000004
【図３】
0003129956.tif 000005
【図４】
0003129956.tif 000006